(57)【特許請求の範囲】
【請求項１】
医療器材の作業工程における前記医療器材に対する作業を支援する医療器材作業支援システムであって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
表示部と、
前記作業工程における前記医療器材に対する作業手順を示すイラストレーションの静止画データを記憶する記憶部と、
前記記憶部に記憶された前記静止画データによる静止画を前記表示部に表示させる表示制御部と、を備え、
前記静止画には前記医療器材の断面図が含まれている、医療器材作業支援システム。
【請求項２】
前記記憶部は、前記作業手順を示す動画データを記憶し、
前記表示制御部は、前記動画データによる動画を前記表示部に表示させるように構成されている、請求項１に記載の医療器材作業支援システム。
【請求項３】
前記医療器材は、少なくとも第１部材と、前記第１部材に対して位置決めされる第２部材とを含み、
前記作業手順は、前記第１部材に対する前記第２部材の位置決めの作業流れを示す位置決め手順であり、
前記表示制御部は、前記動画データによる前記位置決め手順を前記表示部に表示させるように構成されている、請求項２に記載の医療器材作業支援システム。
【請求項４】
前記医療器材は、操作子と、前記操作子による操作に連動して動作を行う作動部を有する第３部材とを含み、
前記作業手順は、前記作動部を前記操作子により作動させる作動手順であり、
前記表示制御部は、前記動画データによる前記作動手順を前記表示部に表示させるように構成されている、請求項２に記載の医療器材作業支援システム。
【請求項５】
前記動画データは、イラストレーションにより作成されている、請求項２〜４のいずれか１項に記載の医療器材作業支援システム。
【請求項６】
前記静止画には前記医療器材の拡大図が含まれている、請求項１から５のいずれか１項に記載の医療器材作業支援システム。
【請求項７】
医療器材の作業工程における前記医療器材に対する作業を支援する医療器材作業支援方法であって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
前記作業工程における前記医療器材に対する作業手順を示すイラストレーションの静止画データを記憶するステップと、
記憶された前記静止画データによる静止画を表示部に表示させるステップと、を備え、
前記静止画には前記医療器材の断面図が含まれている、医療器材作業支援方法。
【請求項８】
医療器材の作業工程における前記医療器材に対する作業を支援する医療器材作業支援プログラムであって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
前記作業工程における前記医療器材に対する作業手順を示すイラストレーションの静止画データを記憶する処理と、
前記記憶された前記静止画データによる静止画を表示部に表示させる処理と、をコンピュータに実行させ、
前記静止画には前記医療器材の断面図が含まれている医療器材作業支援プログラム。
【発明の詳細な説明】
【技術分野】
【０００１】
本発明は、医療器材に対する作業を支援する医療器材作業支援システム、医療器材作業支援方法および医療器材作業支援プログラムに関する。
【背景技術】
【０００２】
従来から、手術用器具等の在庫管理や殺菌処理の管理を行う管理システムが用いられている。例えば特許文献１には、再使用可能な手術用器具の在庫管理を行う管理システムが開示されている。この管理システムでは、再使用可能な手術用器具に識別標識を付与し、当該識別標識に基づいてデータベースを作成する。そして、それらの手術用器具の使用回数をカウントし、カウントした使用回数が耐用回数を超えた手術用器具の破棄や補充を行う。
【０００３】
また、例えば特許文献２には、使用済みの内視鏡等の手術用器具、つまり術後に殺菌を必要とする殺菌対象物が未洗浄や未殺菌の場合に当該殺菌対象物の使用を禁止する殺菌管理システムが開示されている。この管理システムでは、通信可能でデータ書き換え可能なＩＣタグが設けられた内視鏡を管理する。例えば内視鏡洗浄装置により内視鏡の洗浄が済んだ際には、当該内視鏡のＩＣタグに洗浄済みを示す情報および洗浄日時を示す情報が書き込まれる。そして、内視鏡を使用する際に、ＩＣタグリーダーによって内視鏡のＩＣタグに記憶された情報が読み取られる。このとき、読み取られた情報に基づいて未洗浄であると判断されると、内視鏡の使用を禁止する旨がモニタに表示される。このような方法によって、未洗浄の内視鏡が手術において使用されることを防止する。
【先行技術文献】
【特許文献】
【０００４】
【特許文献１】特開２００５−２３７５８６号公報
【特許文献２】特開２００８−５４７３２号公報
【発明の概要】
【発明が解決しようとする課題】
【０００５】
ところで、手術用器具等の医療器材に対する作業として、当該医療器材を各パーツに分解した状態での洗浄、洗浄後の組み立ておよび組み立て後の減菌処理などがある。ユーザーは、作業説明書の説明文や写真を確認しつつ作業を遂行していた。しかしながら、従来の作業説明書では作業手順の途中の内容が省略されていたり、作業で注意すべき点が分かり難かった。そのため、作業内容の理解に長い時間を要することがあり、ユーザーに著しく負担が掛かっていた。
【０００６】
本発明はかかる点に鑑みてなされたものであり、その目的は、ユーザーの作業負担を軽減することができる医療器材作業支援システム、医療器材作業支援方法および医療器材作業支援プログラムを提供することである。
【課題を解決するための手段】
【０００７】
本発明に係る医療器材作業支援システムは、医療器材の作業工程における前記医療器材に対する作業を支援する医療器材作業支援システムであって、前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、表示部と、前記作業工程における前記医療器材に対する作業手順を示すデータを記憶する記憶部と、前記記憶部に記憶された前記データによる前記作業手順を前記表示部に表示させる表示制御部と、を備えている。上記の作業手順には、医療器材に触れて遂行する作業のみならず、当該医療器材に触れないで遂行する作業（例えば確認作業）も包含される。
【０００８】
本発明に係る医療器材作業支援システムによれば、手術に向けて実施される作業工程における作業手順の内容が表示部に表示される。これにより、ユーザーは、上記作業工程において遂行すべき作業内容を順に把握することができる。このように、本発明によれば、従来のように作業手順の内容が一部省略されていたり、これに起因して作業で注意すべき点が分かり難くなるようなことがない。例えば、医療器材の第１パーツを第２パーツに挿入して位置決めするといった作業を遂行する場合、従来の作業説明書では第１パーツのどの部分を第２パーツのどの部分に挿入すべきかが把握し難いことがあった。これに対して、本発明では例えば第１パーツの所定部分を第２パーツの所定箇所に挿入するための一連の作業手順、すなわち挿入前から挿入後に至る作業手順が表示される。これにより、ユーザーが作業内容の理解に長い時間を要するようなことがなくなる。このことによって、ユーザーの作業負担を軽減することができる。
【発明の効果】
【０００９】
本発明によれば、ユーザーの作業負担を軽減することが可能な医療器材作業支援システム、医療器材作業支援方法および医療器材作業支援プログラムを提供することができる。
【図面の簡単な説明】
【００１０】
【図１】本発明の一実施形態に係る医療器材作業支援システムを示す概略図である。
【図２】本発明の一実施形態に係る医療器材作業支援システムが用いられる医療作業工程の説明図である。
【図３】本発明の一実施形態に係るユーザー端末の構成を示すブロック図である。
【図４】本発明の一実施形態に係るユーザー端末のタッチパネルを示す図である。
【図５】（ａ）、（ｂ）は本発明の一実施形態に係るユーザー端末に表示される医療器材の作動手順の動画の断片画像を示す図である。
【図６】ハンドピースの構成を示す断面図である。
【図７】（ａ）〜（ｃ）は本発明の一実施形態に係るユーザー端末に表示されるハンドピースにおけるピンの挿通手順の動画の断片画像を示す図である。
【図８】本発明の一実施形態に係るユーザー端末に表示される医療器材の動画の断片画像を示す図である。
【発明を実施するための形態】
【００１１】
以下、本発明の一実施形態に係る医療器材作業支援システム１について説明する。図１に示すように、医療器材作業支援システム１は、複数のユーザー端末２と、アンテナ３と、サーバー４とを備えている。複数のユーザー端末２のうち一のユーザー端末２は、管理者によって使用される。図１においては、３つのユーザー端末２が設けられているが、医療器材作業支援システム１におけるユーザー端末２の数は、１つでも２つでもよく、４つ以上でもよい。ユーザー端末２は、アンテナ３に対して無線により情報を送受信することのできる例えばパーソナルコンピュータ、スマートフォン、またはタブレット端末等である。本実施形態では、ユーザー端末２として、ユーザーが持ち運びし易くかつ表示が見易いタブレット端末を好適に用いることができる。以下では、ユーザー端末２がタブレット端末である場合を例に説明する。なお、ユーザー端末２はアンテナ３と有線により通信を行ってもよい。アンテナ３は、例えばＬＡＮ（ローカルエリアネットワーク）によりサーバー４に接続されている。サーバー４には、医療器材に対する作業に関係する各種情報が保存されている。ユーザー端末２は、アンテナ３を介してサーバー４に対して情報の送受信を行うことができる。
【００１２】
本実施形態の医療器材作業支援システム１は、ユーザーが医療器材に対する作業工程、例えば洗浄や組み立て等の作業工程を遂行する際に、その作業手順を当該ユーザーに示して支援するものである。以下、本実施形態の医療器材作業支援システム１による作業支援について詳しく説明する。
【００１３】
最初に、医療器材作業支援システム１が用いられる作業工程（以下、医療作業工程と呼ぶ）について説明する。医療作業工程は、医療器材を用いる手術工程に向けて実施される作業工程である。医療器材とは、例えば鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等の器材である。但し、上記例は一部を列挙したものに過ぎず、医療器材は上記例に限定されるものではない。図２に示すように、医療作業工程には、手術工程に向けた例えば５つの工程がある。詳しくは、医療作業工程は、例えば回収工程、洗浄工程、組立工程、減菌工程、および保管工程等を含む。回収工程は、手術後の医療器材を回収する工程である。洗浄工程は、回収された手術後の医療器材を分解した状態で洗浄装置により洗浄する工程である。組立工程は、洗浄後の医療器材を組み立てる工程である。減菌工程は、組立後の医療器材に対して減菌処理を行う工程である。保管工程は、減菌処理後の医療器材を手術に向けて保管する工程である。医療器材作業支援システム１は、上記医療作業工程を構成する５つの工程のうち少なくとも一つの工程で用いられる。
【００１４】
医療器材作業支援システム１のユーザー端末２（図１参照）は、図３に示すように、記憶部１０、表示制御部１１および表示部１２を備えている。記憶部１０は、例えばハードディスクやメモリ等により実現可能である。表示制御部１１は、公知のパーソナルコンピュータ、汎用コンピュータやタブレット端末などに設けられるＣＰＵ（中央演算処理装置）と、ＣＰＵが実行するプログラム等が格納されたＲＯＭ（リードオンリメモリ）およびＲＡＭ（ランダムアクセスメモリ）等により実現可能である。前記のＲＯＭには、医療器材に対する作業を支援するためのプログラムが記憶されている。前記プログラムは、例えばＣＤ（コンパクトディスク）やＤＶＤ（デジタルバーサタイルディスク）等の記録媒体ＫＢから読み込まれる。なお、前記プログラムを、インターネットを通じてダウンロードするようにしてもよい。表示部１２は例えばタブレット端末のタッチパネル等である。なお、ユーザー端末２をパーソナルコンピュータとした場合には、表示部１２をディスプレイとすることができる。
【００１５】
記憶部１０には、医療器材に対する作業を支援するための作業手順を示すイラストレーションの動画データおよびイラストレーションの静止画データが予め記憶されている。表示制御部１１は、記憶部１０に記憶された上記動画データ等を表示部１２に表示させるように構成されている。以下、具体例を用いて説明する。
【００１６】
まず、表示部１２の表示例について説明する。なお、以下に説明する表示部１２の表示例は一例であって、これに限定されるものではない。図４に示すように、表示部１２には、表示領域１２ａ，１２ｂ，１２ｃ，１２ｄが設けられている。表示領域１２ａには、所定の医療作業工程における所定の医療器材に対する作業の項目を示すボタン（以下、作業項目ボタンと称呼する）が表示される。表示領域１２ｂには、医療器材に対する作業の内容が画像（すなわち、イラストレーション動画等）および文字によって表示される。表示領域１２ｃには、品質重点作業として設定された作業項目が表示される際に確認ボタンが表示される。表示領域１２ｄには、１つの作業項目に含まれる１または複数の工程のページ数が表示される。なお、表示領域１２ｃに表示される確認ボタンは、上記複数の工程のうち何れかの工程に係る作業が完了したときにユーザーにより押下される。この確認ボタンが押下されないと、次の工程が表示されない、または作業完了を示す完了表示が実行されないように構成されている。これによって、ユーザーに念入りに作業および確認させることにより、品質重点作業として設定された作業の品質が担保されるようになっている。なお、ユーザーが上記確認ボタンを押下すると、その情報が履歴としてサーバー４（図１参照）に残るように構成されている。これによって、上述の管理者が、ユーザーにより確実に品質重点管理（ゲート管理ともいう）が行われたことをサーバー４にアクセスして容易に確認することができる。
【００１７】
医療器材の例として、図５（ａ）に示す電動式鉗子２２が知られている。電動式鉗子２２は、操作子２０と、当該操作子２０がユーザーに操作されることにより連動する把持部２１ａを有する鉗子部２１とを備えている。操作子２０は、鉗子部２１に対する遠隔位置から当該鉗子部２１の図示しない制御部に指示を与えるリモートコントローラである。操作子２０は、一対のダイアル２０ａを有している。ユーザーは、操作子２０のダイアル２０ａを回すことによって鉗子部２１の把持部２１ａを回動させることができる。図５（ａ）は把持部２１ａが開いた状態を示し、図５（ｂ）は当該把持部２１ａが閉じた状態を示している。記憶部１０（図３参照）には、ユーザーにより操作子２０のダイアル２０ａが回されている様子と、当該ダイアル２０ａの回動に連動して開閉する把持部２１ａの様子とを示す動画データが記憶されている。ユーザーにより表示領域１２ａ（図４参照）の所定の作業項目ボタンが押下されると、表示制御部１１（図３参照）は、表示部１２の表示領域１２ｂに図５（ａ）および（ｂ）の画像を含む動画を表示させる。ユーザーは、表示部１２を視認することで、ダイアル２０ａを回す方向と把持部２１ａの開閉とをリンクさせて容易に理解することができる。
【００１８】
表示部１２には、次のような動画も表示される。医療器材の例として、図６に示すハンドピース２３が知られている。ハンドピース２３は、第１管部２３ａと、当該第１管部２３ａと同軸状に設けられ第１管部２３ａよりも小径で直線状に延びる第２管部２３ｂと、先端部が突出するように当該第２管部２３ｂに挿通され位置決めされたピン２３ｃとを備えている。記憶部１０（図３参照）には、ピン２３ｃが第１管部２３ａおよび第２管部２３ｂの順で挿通されていく様子を示す動画データが記憶されている。すなわち、前記動画データは、第２管部２３ｂに対するピン２３ｃの位置決めの流れを示す位置決め手順を表すデータである。ユーザーにより表示領域１２ａ（図４参照）の所定の作業項目ボタンが押下されると、表示制御部１１（図３参照）は、表示部１２の表示領域１２ｂに図７（ａ），（ｂ）および（ｃ）の画像を含む動画を表示させる。ユーザーは、表示部１２を視認することで、ピン２３ｃの挿通方法および位置決め手順を容易に理解することができる。
【００１９】
さらに、表示部１２には、次のような動画も表示される。図８は医療器材の部分的な細部を示す図である。図８に示すように、医療器材２４は、中心軸Ｌ１回りに回転する回転部材２５を備えている。記憶部１０（図３参照）には、回転部材２５が回転する様子を示す動画データが記憶されている。ユーザーにより表示領域１２ａ（図４参照）の所定の作業項目ボタンが押下されると、表示制御部１１（図３参照）は、表示部１２の表示領域１２ｂに図８の画像を含む動画を表示させる。ユーザーは、表示部１２を視認することで、回転部材２５が回転することを容易に理解することができる。
【００２０】
以上のように、本実施形態によれば、手術に向けて実施される作業工程における作業手順の内容が表示部１２に表示される。これにより、ユーザーは、上記作業工程において遂行すべき作業内容を順に把握することができる。このように、本実施形態によれば、従来のように作業手順の途中の内容が省略されていたり、これに起因して作業で注意すべき点が分かり難くなるようなことがない。例えば、医療器材の第１パーツを第２パーツに挿入して位置決めするといった作業を遂行する場合、従来の作業説明書では第１パーツのどの部分を第２パーツのどの部分に挿入すべきかが把握し難かった。これに対して、本実施形態の医療器材作業支援システムによれば、例えば第１パーツの所定部分を第２パーツの所定箇所に挿入するための一連の作業手順、すなわち挿入前から挿入後に至る手順が表示される。このようなことから、ユーザーが作業内容の理解に長い時間を要するようなことがなくなる。これによって、ユーザーの作業負担を軽減することができる。
【００２１】
また、本実施形態によれば、手術に向けて実施される作業工程における作業手順の内容が動画により表示される。これにより、作業手順の一連の流れを表し易くなる。これによって、ユーザーは作業内容を容易に理解できるようになる。
【００２２】
また、本実施形態によれば、医療器材の位置決め手順の内容が動画により表示される。これにより、ユーザーは医療器材の位置決め手順を容易に理解できるようになる。上述した例でいえば、ユーザーは、ピン２３ｃの通し方、すなわちピン２３ｃを第１管部２３ａおよび第２管部２３ｂの順で挿通する方法を容易に理解することが可能となる。
【００２３】
また、本実施形態によれば、医療器材の作動手順の内容がイラストレーション動画により表示される。これにより、ユーザーは作動手順を容易に理解できるようになる。上述した例でいえば、ユーザーは、操作子２０のダイアル２０ａを一方向に回すことで把持部２１ａを開くことができ、当該ダイアル２０ａを逆方向に回すことで当該把持部２１ａを閉じることができることを容易に理解することが可能となる。
【００２４】
また、本実施形態によれば、動画をイラストレーションにより作成することによって、実際の撮影により動画を作成し難い場合、例えばピン２３ｃを第１管部２３ａおよび第２管部２３ｂの順で挿通するような場合であっても、作業手順を示す動画を容易に準備することができる。また、イラストレーションによれば、作業手順に大きく関係しないような医療器材の部分を省略して動画を作成することが可能になるので、ユーザーが表示に対してフォーカスを当て易くなり、作業手順を理解し易くなる。
【００２５】
以上、本実施形態に係る医療器材作業支援システム１について述べたが、当該医療器材作業支援システム１は上記技術的特徴に限定されるものではなく、次のような変形を施して実施することが可能である。
【００２６】
上記実施形態では、イラストレーションの動画を表示するようにしたが、これに限定されずに、実際の撮影から作成された動画を表示するようにしてもよい。また、イラストレーションの静止画を表示する代わりに、写真データを表示するようにしてもよい。
【００２７】
イラストレーション静止画によって医療器材の断面図および拡大図を表示するようにしてもよい。例えば、医療器材の内部構成を写真で表すことは比較的困難であるので、このような場合に当該内部構成をイラストレーションの断面図により表示することができる。また、医療器材の内部構成を理解し易くするために、当該内部構成をイラストレーションの拡大図により表示するようにしてもよい。
【００２８】
また、上記実施形態では、ユーザー端末２として、タブレット端末を採用する場合を説明したが、これに限定されるものではない。ユーザー端末２としては、パーソナルコンピュータやスマートフォン等も採用することができる。パーソナルコンピュータを採用する場合には、ユーザーはディスプレイの表示を視認しつつマウスの操作によって表示の切り替えを行うことができる。なお、スマートフォンを採用する場合の表示の切り替えについては、タブレット端末における上述の操作と基本的に同じである。
【００２９】
さらに、上記実施形態では、医療作業工程が回収工程、洗浄工程、組立工程、減菌工程、および保管工程のうち少なくとも一つの工程を含む場合について説明したが、当該医療作業工程は上記５つの工程以外の工程を含んでもよい。すなわち、医療作業工程は、手術工程に向けて実施される工程であることを充足するものであればよい。
【符号の説明】
【００３０】
１      医療器材作業支援システム
２      ユーザー端末
３      アンテナ
４      サーバー
１０    記憶部
１１    表示制御部
１２    表示部
２０    操作子
２１    鉗子部（第３部材）
２１ａ  把持部（作動部）
２３    ハンドピース
２３ａ  第１管部（第１部材）
２３ｂ  第２管部（第１部材）
２３ｃ  ピン（第２部材）
ＫＢ    記録媒体
【図１】
0006737603.tif 000002
【図２】
0006737603.tif 000003
【図３】
0006737603.tif 000004
【図４】
0006737603.tif 000005
【図５】
0006737603.tif 000006
【図６】
0006737603.tif 000007
【図７】
0006737603.tif 000008
【図８】
0006737603.tif 000009